(57)【要約】      （修正有）【課題】防水性がより良好なスライドコネクタを提供すること。【解決手段】スライドコネクタは、絶縁本体１０と、複数の導電性端子２０を含み、絶縁本体１０に第１方向に沿って並んだ複数の隔壁１１が設けられ、各隔壁１１は、第１方向に垂直である第2方向にそって延伸し、複数の隔壁１１によって絶縁本体１０の接合面及び非接合面１７を画定し、複数の導電性端子２０は、隣接する2つの隔壁１１により挟持され、隔壁１１は、主体部と、突出部を含み、突出部の自由端にガイド角が設けられ、突出部は、第１方向における幅は主体部の第１方向における幅よりも小さい。絶縁本体１０を成形する際に、金型を絶縁本体１０から取り外すときに、隔壁１１の頂縁にバリが形成されても、突出部の内壁面の片側に設けた凹部にバリを収容することで、バリが隔壁１１の上側に取り付けられたシールドハウジング４０の封止シート３０に突き当たることを防止する。【選択図】図２
2019110117.tif 000002
【特許請求の範囲】
【請求項１】
絶縁本体と、前記絶縁本体に固定された複数の導電性端子とを含み、
前記絶縁本体に第1方向に沿って並んだ複数の隔壁が設けられ、各隔壁は、第1方向に垂直である第2方向にそって延伸し、前記複数の隔壁によって前記絶縁本体の接合面及び非接合面を画定し、前記複数の導電性端子は、1つずつ隣接する2つの隔壁により挟持され、
前記隔壁は、主体部と、前記主体部から接合面から離れた方向へ伸び出す突出部とを含み、前記突出部の自由端にガイド角が設けられ、前記突出部は、第1方向における幅は前記主体部の第1方向における幅よりも小さいことを特徴とするスライドコネクタ。
【請求項２】
前記隔壁は、第1方向に沿う互いに対向し且つ平行である2つの内壁面を有し、前記突出部の少なくとも1つの内壁面は、前記主体部の対応する内壁面に凹んでいることを特徴とする請求項1に記載のスライドコネクタ。
【請求項３】
前記突出部は、前記主体部の1つの内壁面と同一平面にあり、前記突出部のもう1つの内壁面は、前記主体部の対応する内壁面に凹んでいることを特徴とする請求項2に記載のスライドコネクタ。
【請求項４】
各隔壁に、第2方向に沿って複数の互いに離間された突出部が設けられ、上述複数の隔壁の突出部は、第1方向において互いに揃うように配置されることを特徴とする請求項1に記載のスライドコネクタ。
【請求項５】
各隔壁の突出部の間にある主体部は、その隣接する非接合面の末端にガイド角を有することを特徴とする請求項1に記載のスライドコネクタ。
【請求項６】
前記スライドコネクタは、封止シートをさらに含み、前記封止シートは、前記非接合面に貼り付けられることを特徴とする請求項1に記載のスライドコネクタ。
【請求項７】
前記絶縁本体は、前記非接合面の四周に枠体が形成され、前記封止シートは、前記枠体内に取り付けられることを特徴とする請求項6に記載のスライドコネクタ。
【請求項８】
前記封止シートは矩形であり、前記封止シートは、前記第2方向に沿って対向する第1縁と第2縁を有し、前記封止シートは、その第1縁及び第2縁にそれぞれ凸ブロックが設けられることを特徴とする請求項7に記載のスライドコネクタ。
【請求項９】
前記スライドコネクタは、封止シートの上側に取り付けられたシールドハウジングをさらに含み、前記シールドハウジングは、矩形である主体部を含み、前記主体部は、前記第2方向の両縁にそれぞれ下向きに折り曲げて前記凸ブロックの外側にある位置決め部を形成することを特徴とする請求項8に記載のスライドコネクタ。
【請求項１０】
前記封止シートの第1縁の凸ブロックの間に凹溝が設けられ、前記シールドハウジングは、前記主体部の縁から下向きに折り曲げて前記凹溝を通過するバックル部を含み、前記バックル部に突起が設けられ、前記突起は、前記絶縁本体に締りばめされることを特徴とする請求項9に記載のスライドコネクタ。
【発明の詳細な説明】
【技術分野】
【０００１】
本発明は、スライドコネクタに関する。
【背景技術】
【０００２】
中国公開CN107293896A号に機体、防水対象部、封止シート及び蓋を含む防水電子部品が開始されている。上記機体は、環状の防水壁を含み、上記防水壁は第1方向において延伸し、上記防水対象部は、上記防水電子部品の機能部の少なくとも一部分を含み、上記防水対象部は、上記機体の防水壁内に位置する。上記封止
シートは、外周部を含み、上記封止シートは、上記外周部において上記第1方向における一側から上記防水壁に当接している状態で、上記第1方向における一側から上記防水対象部を覆い、上記蓋は、上記第1方向における上記一側から上記封止シート及び上記防水壁を覆うように上記機体に固定される。金型を機体から取り外す際に、上記防水壁の縁にバリが形成され、バリは、封止シートに突き当たることで、防水性が低下する。
【発明の概要】
【０００３】
本発明の解決しようとする課題は、防水性がより良好なスライドコネクタを提供することである。
【０００４】
上記問題を解決するために、本発明は、以下の技術案を採用する。
【０００５】
絶縁本体と、上記絶縁本体に固定された複数の導電性端子とを含み、上記絶縁本体に第1方向に沿って並んだ複数の隔壁が設けられ、核隔壁は、第1方向に垂直である第2方向にそって延伸し、上記複数の隔壁によって上記絶縁本体の接合面及び非接合面を画定し、上記複数の導電性端子は、1つずつ隣接する2つの隔壁により挟持され、上記隔壁は、主体部と、上記主体部から接合面から離れた方向へ伸び出す突出部とを含み、上記突出部の自由端にガイド角が設けられ、上記突出部は、第1方向における幅は上記主体部の第1方向における幅よりも小さいスライドコネクタ。
【０００６】
従来技術に比べて、本発明では、突出部の一側に形成された収容空間は、隔壁の頂縁に形成されたバリを収容できるため、バリが隔壁の上側に取り付けられた防水部品に突き当たることを防止し、防水性能を向上させることができる。
【図面の簡単な説明】
【０００７】
【図１】図1は、本発明のスライドコネクタの斜視図である。
【図２】図2は、図1に示すスライドコネクタの分解斜視図である。
【図３】図3は、図2に示すスライドコネクタを別の視角から見た分解斜視図である。
【図４】図4は、図2に示す丸部分の拡大図である。
【図５】図5は、図1に示すA-Aに沿う断面図である。
【図６】図6は、図1に示すB-Bに沿う断面図である。
【発明を実施するための形態】
【０００８】
以下、具体的な実施形態及び図面を参照しながら本発明をさらに説明する。
【０００９】
図1〜3に示すように、本発明は、フレキシブル回路基板200に接続されるために用いられるスライドコネクタ100を開示する。上記スライドコネクタ100は、絶縁本体10、絶縁本体10に固定された複数の導電性端子20、絶縁本体10に取り付けられた封止シート30、及び封止シート30の上側に取り付けられたシールドハウジング40を含む。上記絶縁本体10に第1方向に沿って並んでいる複数の隔壁11が設けられ、各隔壁11は、第1方向に垂直である第2方向に沿って延伸する。隣接する隔壁11の間に端子収容溝15が形成され、上記導電性端子20は、端子収容溝15に収容されている。つまり、上記複数の導電性端子20は、1つずつ隣接する2つの隔壁11によって挟持されている。上記導電性端子20は、複数の第1導電性端子21及び複数の第2導電性端子22を含む。各第1導電性端子21は、第1接触部211、第1接触部211から後方に折り曲げた第1溶接部213、及び第1溶接部213の後側にあり且つ第1溶接部213に平行である第1保持部212を含む。各第2導電性端子22は、第2接触部221、第2接触部221から後方に折り曲げた第2保持部222、及び第2保持部222の後側にあり且つ第2保持部222に平行である第2溶接部223を含む。上記第1導電性端子21と上記第2導電性端子22は、第1方向に沿って間隔を置いて配置される。上記複数の隔壁11によって上記絶縁本体10の接合面16及び非接合面17が画定される。上記第1接触部211及び上記第2接触部221は、上記接合面16から突出する。上記第1溶接部213及び上記第2溶接部223は、絶縁本体10の底面から伸び出し、フレキシブル回路基板200に溶接するために用いられる。上記絶縁本体10は、上記非接合面17の四周に枠体18が形成され、上記封止シート30は、上記枠体18内に取り付けられ、上記封止シート30は、上記非接合面17に貼り付けられる。上記封止シート30は、矩形であり、上記第2方向において対向する第1縁31と第2縁32を有する。上記封止シート30は、その第1縁31の両端及び第2縁32の両端にいずれも凸ブロック33が設けられ、同一縁にある凸ブロック33の間に凹溝34が形成される。上記シールドハウジング40は、矩形の主体部41及び主体部41の一縁から下に折り曲げたバックル部43を含み、上記バックル部43に突起44が設けられる。上記主体部41は、第2方向の両縁にそって下に折り曲げて上記凸ブロック33の外側に位置する位置決め部42を形成する。上記バックル部43は、下向きに上記凹溝34を通過することで、突起44が絶縁本体10に締りばめされる。
【００１０】
図2〜6に示すように、上記隔壁11は、主体部12及び主体部12から接合面16から離れる方向へ伸び出す突出部13を含み、上記突出部13の自由端に第2ガイド角131が設けられる。上記突出部13の第1方向における幅は、上記主体部12の第1方向における幅よりも小さい。各隔壁11には、第2方向に沿って複数の互いに離間された突出部13が設けられ、上述複数の隔壁11の突出部13は、第1方向において互いに揃うように配置される。各隔壁11の突出部13の間にある主体部12は、その隣接する非接合面17の末端に第1ガイド角121を有する。上記第1ガイド角121及び上記第2ガイド角131は、導電性端子20の端子収容溝15への取付けをガイドするために用いられる。上記主体部12は、第1方向に沿う互いに対向し且つ平行である2つの第1内壁面122を有する。上記突出部13第1方向に沿う互いに対向し且つ平行である2つの第2内壁面132を有する。上記突出部13の一側の第2内壁面132は、上記主体部12の対応する側の第1内壁面122に凹んで凹部14を形成する。上記突出部13の他側の第2内壁面132は、上記主体部12の対応する他側の第1内壁面122と同一平面にある。絶縁本体10を成形する際に、金型を取り外すときに隔壁11の頂縁にバリが形成される場合があり、上記バリは、隔壁11の上側に取り付けられた封止シート30に突き当たることで封止性が悪くなる。従って、凹部14で上記バリを収容することによって、バリは隔壁11の上端面から伸び出さないため、隔壁11の上側に取り付けられた封止シート30に突き当たることがない。
【００１１】
上記は本発明の好適な実施例に過ぎず、本発明の範囲を制限するものではない。本発明の特許請求の範囲及び明細書の内容に基づいて行った簡単な等価変更や修正は、全て本発明の範囲に含まれるべきである。
【図１】
2019110117.tif 000003
【図２】
2019110117.tif 000004
【図３】
2019110117.tif 000005
【図４】
2019110117.tif 000006
【図５】
2019110117.tif 000007
【図６】
2019110117.tif 000008